(57)【特許請求の範囲】
【請求項１】
ケース本体の内部に形成された収納室に上下方向に沿って複数段設けられ、かつ収納対象となる商品を載置する商品載置棚と、
前記収納室の空気を該収納室の内部と外部との間で循環させる空気循環手段と、
前記空気循環手段により循環させられる空気を冷却する蒸発器と、
前記蒸発器に冷媒を供給するとともに該蒸発器から冷媒を吸引する冷凍機と
を備え、前記商品載置棚に載置された商品を所望の温度状態に保持するショーケースにおいて、
前記蒸発器で生じた結露水を貯留する蒸発皿と、
前記蒸発皿に立設され、かつ前記結露水を毛管現象により吸引する蒸発シートと、
前記ケース本体の内部であって前記収納室の外部となる個所に設けられた通風カバー部材と
を備え、
前記通風カバー部材は、前面に形成された入口が排熱ファンを介して前記冷凍機を構成する凝縮器に連通し、上面に形成された出口が前記ケース本体の上面に設けられた排出口に連通した状態で前記蒸発皿及び前記蒸発シートを収容して配設され、かつ前記排熱ファンが駆動することにより、前記凝縮器で熱交換を行った空気が前記蒸発シートの周囲を通過してから前記出口を通過することを許容することを特徴とするショーケース。
【請求項２】
前記通風カバー部材は、上面が前記蒸発シートの上端部に近接していることを特徴とする請求項１に記載のショーケース。
【発明の詳細な説明】
【技術分野】
【０００１】
本発明は、ショーケースに関し、より詳細には、収納対象となる商品を所望の温度状態に保持するようにしたショーケースに関するものである。
【背景技術】
【０００２】
従来、収納対象となる商品を所望の温度状態に保持するショーケースとして、次のようなものが知られている。前面に開口が形成されたケース本体の内部の収納室に、複数の商品載置棚が上下方向に沿って複数段設けられており、それぞれの商品載置棚に商品が載置されている。また、ケース本体内であって収納室外となる個所には、吸込口を通じて吸い込んだ収納室内の空気が通過する空気通路が形成されており、この空気通路には蒸発器が配設されている。該空気通路を通過する空気は、蒸発器で冷却され、その後に収納室の上部に設けられた吹出口より吹き出される。吹出口から吹き出された空気が吸込口に吸い込まれて循環することにより、商品載置棚に載置された商品が所望の温度に調整されて保持される。
【０００３】
このようなショーケースにおいては、蒸発器で生じた結露水を貯留する蒸発皿が設けられているとともに、該蒸発器に冷媒を供給し、かつ該蒸発器から冷媒を吸引する冷凍機が設けられたものがある。そして、冷凍機を構成する凝縮器を通過した空気が蒸発皿の周囲を通過するようにして蒸発皿に貯留される結露水を処理するようにしている（例えば、特許文献１参照）。
【先行技術文献】
【特許文献】
【０００４】
【特許文献１】特開平１０−１３２４４６号公報
【発明の概要】
【発明が解決しようとする課題】
【０００５】
ところで、上述したようなショーケースでは、前方側の凝縮器を通過した空気が後方に向けて流れて蒸発皿の周囲を通過した後、そのまま後方の排出口より排出されるものである。そのため排出口がケース本体の上面に設けられている場合には、凝縮器を通過した空気が蒸発皿の周囲を通過しないで排出口に向けて流れてしまう虞れがあり、冷凍機の排熱処理及び結露水の処理を良好に行うことができないことがあった。
【０００６】
本発明は、上記実情に鑑みて、冷凍機の排熱処理及び結露水の処理を良好に行うことができるショーケースを提供することを目的とする。
【課題を解決するための手段】
【０００７】
上記目的を達成するために、本発明に係るショーケースは、ケース本体の内部に形成された収納室に上下方向に沿って複数段設けられ、かつ収納対象となる商品を載置する商品載置棚と、前記収納室の空気を該収納室の内部と外部との間で循環させる空気循環手段と、前記空気循環手段により循環させられる空気を冷却する蒸発器と、前記蒸発器に冷媒を供給するとともに該蒸発器から冷媒を吸引する冷凍機とを備え、前記商品載置棚に載置された商品を所望の温度状態に保持するショーケースにおいて、前記蒸発器で生じた結露水を貯留する蒸発皿と、前記蒸発皿に立設され、かつ前記結露水を毛管現象により吸引する蒸発シートと、前記ケース本体の内部であって前記収納室の外部となる個所に設けられた通風カバー部材とを備え、前記通風カバー部材は、前面に形成された入口が排熱ファンを介して前記冷凍機を構成する凝縮器に連通し、上面に形成された出口が前記ケース本体の上面に設けられた排出口に連通した状態で前記蒸発皿及び前記蒸発シートを収容して配設され、かつ前記排熱ファンが駆動することにより、前記凝縮器で熱交換を行った空気が前記蒸発シートの周囲を通過してから前記出口を通過することを許容することを特徴とする。
【０００８】
また本発明は、上記ショーケースにおいて、前記通風カバー部材は、上面が前記蒸発シートの上端部に近接していることを特徴とする。
【発明の効果】
【０００９】
本発明によれば、通風カバー部材が、前面に形成された入口が冷凍機を構成する凝縮器に連通し、上面に形成された出口がケース本体の上面に設けられた排出口に連通した状態で蒸発器で生じた結露水を貯留する蒸発皿と、結露水を毛管現象により吸引する蒸発シートとを収容して配設されており、凝縮器を通過した空気を蒸発シートの周囲を通過させてから出口を通過させるので、冷凍機の排熱処理及び結露水の処理を良好に行うことができるという効果を奏する。
【図面の簡単な説明】
【００１０】
【図１】図１は、本発明の実施の形態であるショーケースの内部構造を模式的に示す断面側面図である。
【図２】図２は、図１に示した抵抗板を示す平面図である。
【図３】図３は、収納ボックスを示す斜視図である。
【図４】図４は、収納ボックスの縦断面図である。
【図５】図５は、図３に示した収納ボックスを構成する置き台及び前カバー部を示す斜視図である。
【図６】図６は、ケース本体における収納室の上方域の収納ボックスや冷凍機の配置関係を模式的に示す説明図である。
【図７】図７は、図６に示した通風カバー部材を模式的に示す断面図である。
【図８】図８は、商品載置棚を構成する棚板の先端部を拡大して示す拡大断面側面図である。
【図９】図９は、商品載置棚を構成する棚板の先端部を拡大して示す斜視図である。
【図１０】図１０は、商品載置棚を構成する棚ダクト部の要部を拡大して示す拡大断面側面図である。
【図１１】図１１は、図１０に示した棚ダクト部を正面から見た場合の断面図である。
【図１２】図１２は、商品載置棚を構成する棚ダクト部の要部を拡大して示す拡大断面側面図である。
【図１３】図１３は、商品載置棚を構成する棚ダクト部の要部を拡大して示す拡大断面側面図である。
【図１４】図１４は、商品載置棚を構成する棚板の先端部を拡大して示す斜視図である。
【図１５】図１５は、収納ボックスの分解手順を示す説明図である。
【図１６】図１６は、収納ボックスの分解手順を示す説明図である。
【図１７】図１７は、収納ボックスの分解手順を示す説明図である。
【発明を実施するための形態】
【００１１】
以下に添付図面を参照して、本発明に係るショーケースの好適な実施の形態について詳細に説明する。
【００１２】
図１は、本発明の実施の形態であるショーケースの内部構造を模式的に示す断面側面図である。ここで例示するショーケースは、ケース本体１０を備えている。
【００１３】
ケース本体１０は、前面に開口（以下、前面開口ともいう）１０ａが形成された断熱筐体である。このケース本体１０は、その内部に収納室１１が画成されているとともに、空気循環手段２０が設けられている。
【００１４】
収納室１１は、上記前面開口１０ａを臨む態様で画成された室であり、複数（図示の例では５つ）の商品載置棚３０が上下方向に沿って並べて配設されている。商品載置棚３０は、それぞれ商品を載置するためのものである。この商品載置棚３０の構成については後述する。
【００１５】
かかる収納室１１の底部にはデッキパン１２が配設されている。このデッキパン１２は、上記商品載置棚３０と同様に商品を載置するためのものである。
【００１６】
また収納室１１の背面を構成する背面パネル１３には、複数の背面孔部１４が形成されている。これら背面孔部１４は、複数の高さレベルにおいて左右方向に沿って所定間隔毎に形成された貫通孔である。より詳細に説明すると、背面孔部１４は、各商品載置棚３０の下部において、左右方向に沿って所定間隔毎に形成されている。
【００１７】
更に収納室１１の前方下部には吸込口１５が形成されているとともに、収納室１１の前方上部には吹出口１６が形成されている。
【００１８】
吸込口１５は、収納室１１の内部の空気を吸い込むための開口であり、収納室１１の左右方向に沿って延設されている。吹出口１６は、収納室１１の内部に空気を吹き出すための開口である。この吹出口１６は、収納室１１の左右方向に延設されている。この吹出口１６には、図には明示しないが、ハニカム構造の整流部材が適宜取り付けられている。
【００１９】
空気循環手段２０は、空気風路２０ａと循環ファンＦ１とを備えて構成されている。空気風路２０ａは、吸込口１５から吹出口１６及び各背面孔部１４に至る空気の風路である。
【００２０】
このような空気風路２０ａは、収納室１１外であってその下方にある下方側空気風路２１と、収納室１１外であってその背面側にある第１背面側空気風路２２と、収納室１１外であってその上方にある収納ボックス２３と、収納室１１外であってその上方にある上方側空気風路２４とを互いに連通した態様で構成されている。
【００２１】
また空気風路２０ａを構成する上方側空気風路２４は、途中の分岐点Ｐで２つに分岐しており、一方が吹出口１６に通じており、他方が第２背面側空気風路２５に通じている。
【００２２】
第２背面側空気風路２５は、収納室１１の背面側において上下方向に沿って延在している。この第２背面側空気風路２５は、第１背面側空気風路２２の前方側で延設されていて、該第１背面側空気風路２２と区画されている。かかる第２背面側空気風路２５は、背面パネル１３に配設された各背面孔部１４に連通しており、空気風路２０ａを構成するものである。
【００２３】
この第２背面側空気風路２５の途中には、抵抗板（抵抗部材）２６が設けられている。抵抗板２６は、図２に示すように、第２背面側空気風路２５を閉塞するのに十分な大きさを有した板状部材であり、複数の通過孔２６ａが形成されている。この抵抗板２６は、第２背面側空気風路２５を上方から下方に向けて通過する空気が各通過孔２６ａを通過するようにするものであり、空気の通過面積を低減させて第２背面側空気風路２５を疑似的に上下２つに区画するものである。
【００２４】
循環ファンＦ１は、駆動して空気を循環させるものであり、下方側空気風路２１の所定部位に配設されている。本実施の形態においては、循環ファンＦ１は下方側空気風路２１の所定部位に配設されているが、本発明では、循環ファンＦ１の配設位置は特に限定されるものではなく、後述する循環ファンＦ１の機能を発揮することができる個所であればどこに配設しても構わない。
【００２５】
このような空気循環手段２０においては、循環ファンＦ１が駆動することにより吸込口１５を通じて収納室１１の内部にある空気（内部空気）を吸い込み、吸い込んだ空気が空気風路２０ａを通過する態様で各吹出口１６及び各背面孔部１４まで送出し、各吹出口１６及び各背面孔部１４を通じて送出した空気を収納室１１の内部に吹き出すことにより、収納室１１の内部と外部との間で空気を循環させるものである。
【００２６】
上記空気風路２０ａを構成する収納ボックス２３には、蒸発器（温度調整手段）５１が収納されている。すなわち、蒸発器５１はケース本体１０において収納室１１よりも上方域に配設されている。蒸発器５１は、冷凍機（圧縮機５２、凝縮器５３及び膨張機構５４）とともに冷媒を循環させる冷媒循環手段を構成する。ここに圧縮機５２は、駆動することにより冷媒を圧縮するものである。凝縮器５３は、圧縮機５２で圧縮された冷媒を凝縮させるものである。膨張機構５４は、凝縮器５３で凝縮された冷媒を断熱膨張させて低温低圧の状態にさせるものである。
【００２７】
蒸発器５１は、循環ファンＦ１が駆動することにより収納ボックス２３に流入して通過する空気と、膨張機構５４で断熱膨張させた冷媒とを熱交換させるもの、より詳細には、冷媒を蒸発させることにより自身の周囲を通過する空気を冷却するものである。この蒸発器５１で蒸発した冷媒は、再び圧縮機５２に戻り圧縮されることになる。
【００２８】
図３及び図４は、それぞれ収納ボックス２３を示すものであり、図３は収納ボックス２３を示す斜視図、図４は収納ボックス２３の縦断面図である。これら図３及び図４に示すように、収納ボックス２３は、置き台２３１と、前カバー部２３２と、上カバー部２３３とを備えて構成されている。
【００２９】
置き台２３１は、蒸発器５１を載置するためのものである。この置き台２３１は、図５にも示すように、上部に凹部２３１ａが形成されている。かかる凹部２３１ａは、蒸発器５１の下端部を侵入させて支持するためのものである。これにより蒸発器５１の位置決めを行うことができる。また置き台２３１の後方側には、第１背面側空気風路２２に連通する第１内部風路２３４が形成されている。
【００３０】
前カバー部２３２は、置き台２３１の前方域を覆う態様で設けられるものである。この前カバー部２３２は、後端部が置き台２３１の前端部に嵌合して連結されている。つまり、前カバー部２３２の後端部の凸部の端面が置き台２３１の前端部の凹部の端面に当接し、かつ置き台２３１の前端部の凸部の端面が前カバー部２３２の後端部の凹部の端面に当接することで嵌合している。かかる前カバー部２３２が設けられることにより、置き台２３１との間で上方側空気風路２４に連通する第２内部風路２３５が形成されている。尚、図５中の符号２３２ａは、蒸発器５１に接続される冷媒管路を通過させるための開口である。これにより、前カバー部２３２は、蒸発器５１と冷凍機とを接続させた状態で置き台２３１の前方域を覆うものである。
【００３１】
このような置き台２３１及び前カバー部２３２においては、置き台２３１の第１内部風路２３４の下端縁部が第１背面側空気風路２２に進入した状態で設置台１７に配設されているとともに、置き台２３１の第２内部風路２３５を構成する下端縁部と前カバー部２３２の第２内部風路２３５を構成する下端縁部とが上方側空気風路２４に進入した状態で設置台１７に配設されている。
【００３２】
これにより、第１内部風路２３４と第１背面側空気風路２２との気密性が確保できるとともに、第２内部風路２３５と上方側空気風路２４との気密性を確保することができる。
【００３３】
上カバー部２３３は、下面が開放した直方状の形態を成す箱体である。この上カバー部２３３は、下端縁部が置き台２３１及び前カバー部２３２の上端部に嵌合して連結することにより、置き台２３１及び前カバー部２３２とともに蒸発器５１の収納空間Ｓを構成している。ここで、上カバー部２３３の下端縁部の凸部の端面が置き台２３１及び前カバー部２３２の上端部の凹部の端面に当接し、かつ置き台２３１及び前カバー部２３２の上端部の凸部の端面が上カバー部２３３の下端縁部の凹部の端面に当接することで嵌合している。
【００３４】
このような収納ボックス２３の右方側には、図６に示したように蒸発皿６０が配設されている。この蒸発皿６０は、樋６１を通じて蒸発器５１で生じた結露水を貯留するためのものである。かかる蒸発皿６０には蒸発シート６２が立設されている。蒸発シート６２は、蒸発皿６０に貯留される結露水を毛管現象により吸引するものである。
【００３５】
このような蒸発皿６０及び蒸発シート６２は、図６及び図７に示すように、通風カバー部材７０に収容されている。この通風カバー部材７０は、前面に入口７１が形成されているとともに、上面に出口７２が形成されている。
【００３６】
通風カバー部材７０は、入口７１が排熱ファンＦ２を介して上記凝縮器５３に連通しており、出口７２がケース本体１０の上面に設けられた排出口１０ｂに連通している。ここで凝縮器５３は、ケース本体１０における収納室１１よりも上方側となる前面に形成された給気口１０ｃを臨む態様で配設してあり、右方が左方に対して前方側となるよう斜めに配置されている。そのため、通風カバー部材７０も前方側が後方に向かうに連れて漸次右方に傾斜して延在し、後方側が後方に向けて延在している。
【００３７】
かかる通風カバー部材７０は、上面の高さレベルが蒸発シート６２の上端部の高さレベルに略等しくなるよう、上面が蒸発シート６２の上端部に近接している。そして、この上面に形成される出口７２は、蒸発シート６２の直上域に位置しており、より詳細には、蒸発シート６２の後方側上端部の直上域に位置している。
【００３８】
上記商品載置棚３０は、棚板３１と、ガイド部材３２と、棚ダクト部３３とを備えて構成されている。棚板３１は、例えばアクリル樹脂等の透明な樹脂材から構成された板状体であり、図示せぬブラケットを介して背面パネル１３に配設されている。この棚板３１は、上面が商品を載置するための載置面となるものである。つまり、商品載置棚３０に載置される商品は、すべて棚板３１の上面に載置される。
【００３９】
図８は、商品載置棚３０を構成する棚板３１の先端部を拡大して示す拡大断面側面図である。この図８にも示されるように、ガイド部材３２は、棚板３１の先端部に配設されている。このガイド部材３２は、左右方向の長さが棚板３１の左右方向の長さと略等しいものであり、左右方向が長手方向となる長尺状部材であり、ガイド基部３２１とガイド上延部３２２とを有している。
【００４０】
ガイド基部３２１は、前後方向に沿って延在する部位であり、図９に示すように、長手方向（左右方向）に沿って並ぶよう複数の矩形状の通風孔部３２１ａが形成されている。また、互いに隣り合う通風孔部３２１ａ間には平板状部３２１ｂが形成されており、いずれかの平板状部３２１ｂには、前後方向が長手方向となる長孔３２１ｃが形成されている。
【００４１】
このようなガイド基部３２１は、長孔３２１ｃを下方から貫通するネジ（締結部材）Ｎが棚板３１の先端部の下部に設けられた補強金具３４，３５に螺合することで棚板３１の先端部に設けられている。つまり、ガイド部材３２は、締結ネジＮによる締結力を弱めた場合には、締結ネジＮが長孔３２１ｃを長手方向に沿って相対的に移動する態様で、前後方向に沿って移動可能なものである。
【００４２】
ガイド上延部３２２は、ガイド基部３２１の先端縁部より上方に向けて延在する部位である。このガイド上延部３２２には、棚モール３６が取り付けられている。棚モール３６は、商品価格等を表示するプライスカードを取り付けるためのものである。
【００４３】
図１０は、商品載置棚３０を構成する棚ダクト部３３の要部を拡大して示す拡大断面側面図であり、図１１は、図１０に示した棚ダクト部３３を正面から見た場合の断面図である。これら図１０及び図１１を適宜用いて棚ダクト部３３について説明する。
【００４４】
棚ダクト部３３は、上記棚板３１において、上記ガイド部材３２が配設された個所より後方側の部分から棚板３１の後端部までの下方域に設けられたものであり、レール３３１と、ダクト板３３２とを備えて構成されている。
【００４５】
レール３３１は、左側レール部３３１ａと右側レール部３３１ｂとを有する左右一対のものである。左側レール部３３１ａは、前後方向が長手方向となる長尺状部材であり、左側下延部３３１ａ１と左側右延部３３１ａ２とを有している。左側下延部３３１ａ１は、棚板３１の下面の左方側に配設されており、下方に向けて延在する部位である。また、左側下延部３３１ａ１の前端部分には、右方に向けて屈曲された左側取付片３３１ａ３が形成されている。左側右延部３３１ａ２は、左側下延部３３１ａ１の下端縁部より右方側に向けて延在する部位である。
【００４６】
右側レール部３３１ｂは、前後方向が長手方向となる長尺状部材であり、右側下延部３３１ｂ１と右側左延部３３１ｂ２とを有している。右側下延部３３１ｂ１は、棚板３１の下面の右方側に配設されており、下方に向けて延在する部位である。また、右側下延部３３１ｂ１の前端部分には、左方に向けて屈曲された右側取付片３３１ｂ３が形成されている。右側左延部３３１ｂ２は、右側下延部３３１ｂ１の下端縁部より左方側に向けて延在する部位である。
【００４７】
ダクト板３３２は、上記棚板３１と同様に例えばアクリル樹脂等の透明な樹脂材から構成された板状体であり、左端部が左側右延部３３１ａ２に載置され、かつ右端部が右側左延部３３１ｂ２に載置された状態で棚板３１の下面に対向して設けられている。このダクト板３３２は、ダクト抵抗部３３２ａ及び通風孔３３２ｂを備えている。
【００４８】
ダクト抵抗部３３２ａは、ダクト板３３２の前端部を上方に向けて屈曲させて形成されたものである。このダクト抵抗部３３２ａは、左右方向が長手方向となる長尺状部材であるが、その左右方向の長さは、左側取付片３３１ａ３と右側取付片３３１ｂ３との離間距離よりも短いものである。またダクト抵抗部３３２ａの上方向への延在長さであるが、棚板３１とダクト板３３２との離間距離の半分よりも大きいことが好ましい。通風孔３３２ｂは、複数あり、それぞれダクト板３３２に形成された貫通孔である。
【００４９】
上記ダクト板３３２は、右方若しくは左方から見た場合にＬ字状を成す規制部材３７（図１１では二点差線で示す部材）が左側取付片３３１ａ３及び右側取付片３３１ｂ３に図示せぬ締結手段を介して締結されることにより前方への移動が規制されている。
【００５０】
このような構成を有する棚ダクト部３３は、レール３３１及びダクト板３３２により棚板３１の下方域にて該棚板３１の下面との間で通風路３３ａを形成し、該通風路３３ａが自身の高さレベルに対応する背面孔部１４に連通している。
【００５１】
従って、棚ダクト部３３は、該背面孔部１４から吹き出された空気を通過させるものである。また、ダクト板３３２に形成されたダクト抵抗部３３２ａは、通風路３３ａの前端部において該通風路３３ａの通風面積を低減させるものである。
【００５２】
そして、棚ダクト部３３は、図１２に示すように、締結手段による締結力を解除して規制部材３７を取り外すことにより、図１３に示すように、ダクト板３３２を前方に向けて離脱させることができる。つまり、棚ダクト部３３におけるダクト板３３２は、棚板３１に対して着脱可能に配設されている。
【００５３】
以上のような構成によるショーケースにおいては、循環ファンＦ１及び圧縮機５２を駆動させると、商品載置棚３０に載置された商品は次のようにして冷却される。
【００５４】
収納室１１の内部の空気は、吸込口１５を通じて吸い込まれ、下方側空気風路２１及び第１背面側空気風路２２を通過し、収納ボックス２３に進入する。
【００５５】
収納ボックス２３に進入した空気は、蒸発器５１を通過して冷却される。この蒸発器５１にて冷却された空気は、上方側空気風路２４を通過し、分岐点Ｐにて２つに分岐され、一方の空気は、吹出口１６に至り、該吹出口１６より吹き出される。また、分岐点Ｐで分岐された他方の空気は、第２背面側空気風路２５に至り、それぞれの高さレベルの各背面孔部１４から吹き出される。
【００５６】
吹出口１６から吹き出された空気は、各商品載置棚３０の先端部に配設されたガイド部材３２の通風孔部３２１ａを通過しながら吸込口１５に向けて流れることでエアカーテンを形成する。このようにエアカーテンを形成することにより、外部からの熱の侵入を抑制しつつ、収納室１１の内部空気を冷却する。
【００５７】
また、各背面孔部１４から吹き出された空気は、棚ダクト部３３の通風路３３ａに進入する。ここで棚ダクト部３３を構成するダクト板３３２には、ダクト抵抗部３３２ａが通風路３３ａの前端部において該通風路３３ａの通風面積を低減させるので、該通風路３３ａの動圧が小さくなるが静圧を大きくすることができる。そのため、各商品載置棚３０の棚ダクト部３３に進入する風量のバラツキを抑制でき、しかもダクト板３３２に形成された通風孔３３２ｂを通過する風量を十分に確保することができる。
【００５８】
かかる棚ダクト部３３の通風路３３ａを通過した空気は、その後にエアカーテンに合流する。このように棚ダクト部３３の通風路３３ａを後方から前方に向けて流れることで収納室１１の後方側の内部空気を冷却する。
【００５９】
このようにして収納室１１の内部空気を冷却することで、結果的に各商品載置棚３０に載置された商品を冷却することができる。
【００６０】
以上説明したように、本発明の実施の形態であるショーケースによれば、棚ダクト部３３を構成するダクト抵抗部３３２ａが通風路３３ａの前端部において該通風路３３ａの通風面積を低減させて各商品載置棚３０の棚ダクト部３３に進入する風量のバラツキを抑制できるので、各棚ダクト部３３を通過する空気の風量の均一化を図ることができる。
【００６１】
しかも、棚ダクト部３３を構成するダクト板３３２に通風孔３３２ｂが形成されている場合には、これら通風孔３３２ｂから空気を吹き出させることにより、直下の商品載置棚３０又はデッキパン１２に載置された商品を良好に冷却することができる。
【００６２】
上記ショーケースによれば、棚板３１及びダクト板３３２が透明な板状体であるので、当該商品載置棚３０の上方側からでも該商品載置棚３０に下方に載置された商品を視認させることができる。
【００６３】
上記ショーケースによれば、ダクト板３３２が棚板３１に対し着脱可能に配設されているので、ダクト板３３２を棚板３１から離脱させて清掃等を容易に行うことができる。
【００６４】
上記ショーケースにおいては、第２背面側空気風路２５の途中に抵抗板２６を設けることで、第２背面側空気風路２５を均圧化させることができ、第２背面側空気風路２５の下部側に空気（蒸発器５１で冷却された空気）が溜まってしまうことを抑制でき、背面パネル１３の各背面孔部１４から吹き出される空気の風量を均一化することができる。
【００６５】
上記ショーケースにおいては、ガイド部材３２が前後方向に沿って移動可能なものであるので、棚板３１の前端部に近接離反する態様で移動可能となる。そして、ガイド部材３２が棚板３１より離隔する場合には通風孔部３２１ａに吹出口１６から吹き出された空気の一部が通過することを許容する。そして、ガイド部材３２は、後方に向けて移動させて棚板３１に最も近接する場合には、図１４に示すように、棚板３１の下方域に通風孔部３２１ａを収納することができる。しかも、ガイド部材３２を構成するガイド基部３２１及びガイド上延部３２２はいずれも商品を載置するものではない。
【００６６】
従って、上記ショーケースによれば、商品載置棚３０に載置された商品を取り除くことなくガイド部材３２を移動させることができるとともに、ガイド部材３２の通風孔部３２１ａを隠すことができる。
【００６７】
上記ショーケースにおいては、蒸発器５１を収納する収納ボックス２３は、置き台２３１と、該蒸発器５１と冷凍機とを接続させた状態で置き台２３１の前方域を覆う前カバー部２３２と、上カバー部２３３とにより構成されているので、図１５に示すように上カバー部２３３を上方に向けて取り外した後に、図１６に示すように前カバー部２３２を前方に向けて取り外すことで置き台２３１に載置された蒸発器５１を露出させることができる。そして、図１７に示すように蒸発器５１を前方に向けて取り外すことで、蒸発器５１を冷凍機（圧縮機５２、凝縮器５３及び膨張機構５４）に連結した状態でケース本体１０から離脱させることができる。
【００６８】
従って、上記ショーケースによれば、蒸発器５１を収納ボックス２３とは切り離して冷凍機と連結した状態で取り出すことができるので、取り出すものの寸法や重量の増加を抑制でき、蒸発器５１の交換を容易に行うことができる。
【００６９】
上記ショーケースにおいては、通風カバー部材７０が、入口７１が凝縮器５３に連通し、出口７２が排出口１０ｂに連通した状態で蒸発皿６０及び蒸発器５１シートを収容して配設されており、しかも上面が蒸発シート６２の上端部に近接している。従って、排熱ファンＦ２が駆動することにより、通風カバー部材７０は、凝縮器５３を通過した空気を蒸発シート６２の周囲を通過させてから出口７２を通過させることができる。
【００７０】
従って、上記ショーケースによれば、冷凍機の排熱処理及び結露水の処理を良好に行うことができる。
【００７１】
以上、本発明の好適な実施の形態について説明したが、本発明はこれに限定されるものではなく、種々の変更を行うことができる。
【００７２】
上述した実施の形態では、ダクト抵抗部３３２ａは、ダクト板３３２の前端部を上方に向けて屈曲させて形成されたものであるが、本発明においては、ダクト抵抗部は、ダクト板とは別体のものであってもよいし、棚板に設けられたものであってもよい。また、規制部材をダクト抵抗部として用いてもよい。
【００７３】
上述した実施の形態では、ダクト板３３２には複数の通風孔３３２ｂが形成されていたが、本発明においては、通風孔は形成されていなくてもよい。
【符号の説明】
【００７４】
１０  ケース本体
１０ａ  前面開口
１０ｂ  排出口
１０ｃ  給気口
１１  収納室
１３  背面パネル
１４  背面孔部
１５  吸込口
１６  吹出口
２０  空気循環手段
２０ａ  空気風路
２１  下方側空気風路
２２  第１背面側空気風路
２３  収納ボックス
２３１  置き台
２３１ａ  凹部
２３２  前カバー部
２３３  上カバー部
２４  上方側空気風路
２５  第２背面側空気風路
２６  抵抗板（抵抗部材）
２６ａ  通過孔
３０  商品載置棚
３１  棚板
３２  ガイド部材
３２１  ガイド基部
３２１ａ  通風孔部
３２１ｂ  平板状部
３２１ｃ  長孔
３２２  ガイド上延部
３３  棚ダクト部
３３ａ  通風路
３３１  レール
３３１ａ  左側レール部
３３１ｂ  右側レール部
３３２  ダクト板
３３２ａ  ダクト抵抗部
３３２ｂ  通風孔
５１  蒸発器（温度調整手段）
５２  圧縮機
５３  凝縮器
５４  膨張機構
６０  蒸発皿
６２  蒸発シート
７０  通風カバー部材
７１  入口
７２  出口
Ｆ１  循環ファン
Ｆ２  排熱ファン
Ｎ  ネジ（締結部材）
Ｐ  分岐点
Ｓ  収納空間
【図１】
0006679826.tif 000002
【図２】
0006679826.tif 000003
【図３】
0006679826.tif 000004
【図４】
0006679826.tif 000005
【図５】
0006679826.tif 000006
【図６】
0006679826.tif 000007
【図７】
0006679826.tif 000008
【図８】
0006679826.tif 000009
【図９】
0006679826.tif 000010
【図１０】
0006679826.tif 000011
【図１１】
0006679826.tif 000012
【図１２】
0006679826.tif 000013
【図１３】
0006679826.tif 000014
【図１４】
0006679826.tif 000015
【図１５】
0006679826.tif 000016
【図１６】
0006679826.tif 000017
【図１７】
0006679826.tif 000018